(57)【要約】      （修正有）【課題】コンパクトで被加熱容器のサイズに応じてサイズ調整をする必要がない五徳を提供すること。【解決手段】五徳本体２と、五徳本体の壁面５に間隔を空けて取り付けられた回転可能な６枚の脚部３とを有し、脚部は、五徳本体の壁面の上部位置に配置された使用可能な第１の位置と、五徳本体内に格納された第２の位置とを取り得、脚部には第１の位置において五徳本体から外方に張り出すコッヘルを載置するための載置部１１が形成されており、載置部は第１の位置において先端寄りに立設された立ち上がり部１２と、立ち上がり部の基部から内方に向かって徐々に高くなる斜状部１３とを有し、第１の位置において立ち上がり部上端と斜状部の最も高い位置Ｐが水平に配置されるようにした。【選択図】図１
0003232698.tif 000002
【実用新案登録請求の範囲】
【請求項１】
五徳本体と、前記五徳本体の壁面に間隔を空けて取り付けられた回転可能な３つ以上の脚部とを有し、
前記脚部は回転によって、前記五徳本体の前記壁面の上部位置に配置された使用可能な第１の位置と、前記五徳本体内に格納された第２の位置とを取り得、
前記脚部には前記第１の位置において前記五徳本体から外方に張り出す被加熱容器を載置するための載置部が形成されており、前記載置部は前記第１の位置において先端寄りに立設された立ち上がり部と、前記立ち上がり部の基部から内方に向かって徐々に高くなる斜状部とを有し、前記第１の位置において前記立ち上がり部上端と前記斜状部の最も高い位置が水平に配置されることを特徴とする五徳。
【請求項２】
前記五徳本体は底面の周囲から前記壁面が立ち上がる構成とされていることを特徴とする請求項１に記載の五徳。
【請求項３】
前記脚部を前記五徳本体内に格納された前記第２の位置に配置した際に前記五徳本体内部に脚部に包囲された収容領域が形成されることを特徴とする請求項１又は２に記載の五徳。
【考案の詳細な説明】
【技術分野】
【０００１】
本考案は、例えば登山やキャンプの調理に使用する例えばコッヘル（クッカー）やシェラカップ等の被加熱容器を加熱する際に使用する携行可能な五徳に関するものである。
【背景技術】
【０００２】
例えば登山やキャンプではなるべく荷物が少なく軽い方が望ましいため、従来から調理用の五徳としては携行が容易な軽量なものが用いられている。そのような五徳の一例を特許文献１及び非特許文献１として示す。
【先行技術文献】
【特許文献】
【０００３】
【特許文献１】特開２０１４−４０９９２号公報
【非特許文献１】エスビットのポケットストーブ種類＆特徴と炊飯方法まとめ[online]、YAMA HACK、[令和３年４月１４日検索]、インターネット＜ＵＲＬ：https://yamahack.com/636＞
【考案の概要】
【考案が解決しようとする課題】
【０００４】
しかし、従来の五徳は被加熱容器のサイズに応じて被加熱容器の底面を支持する面積を変更することができなかったり、できるとしても手で拡げたりしてサイズを調節しなければならなかった。本考案は、従来の五徳の改良品であり、コンパクトで被加熱容器のサイズに応じてサイズ調整をする必要がない五徳を提供することを目的とする。
【課題を解決するための手段】
【０００５】
上記の目的を達成するための第１の手段として、五徳本体と、前記五徳本体の壁面に間隔を空けて取り付けられた回転可能な３つ以上の脚部とを有し、前記脚部は回転によって、前記五徳本体の前記壁面の上部位置に配置された使用可能な第１の位置と、前記五徳本体内に格納された第２の位置とを取り得、前記脚部には前記第１の位置において前記五徳本体から外方に張り出す被加熱容器を載置するための載置部が形成されており、前記載置部は前記第１の位置において先端寄りに立設された立ち上がり部と、前記立ち上がり部の基部から内方に向かって徐々に高くなる斜状部とを有し、前記第１の位置において前記立ち上がり部上端と前記斜状部の最も高い位置が水平に配置されるるようにした。
これによって、脚部を五徳本体に格納してコンパクトな形状として携行することができる。そして、使用時には脚部を外方向に回転させて（揺動させて）第１の位置に配置することで各脚部の立ち上がり部と斜状部の最も高い位置の二箇所で被加熱容器の底面を支えるようにすることができる。
そして、被加熱容器が小さいサイズでその底面が立ち上がり部よりも内側位置となる場合には立ち上がり部を使用せずに斜状部のみで底面を受けるようにする。この場合、脚部は被加熱容器の荷重によって第１の位置と第２の位置の途中の底面に対してもっとも安定した回転位置に保持され、斜状部が被加熱容器の底面に当接した状態で被加熱容器を支えることとなる。例えば被加熱容器の底面が水平に配置されるのであれば斜状部も水平に配置されることとなる。「斜状部」は直線的でなくともよい。例えば滑り止めの凹凸を設けたり、軽量化のために鋸歯状としてもよい。
また、第２の手段として、前記五徳本体は底面の周囲から前記壁面が立ち上がる構成とされているようにした。
これによって五徳本体が容器状となるため五徳本体内部に固形燃料等の別物品を収容することができる。
また、第３の手段として、前記脚部を前記五徳本体内に格納された前記第２の位置に配置した際に前記五徳本体内部に脚部に包囲された収容領域が形成されるようにした。
これによって脚部を五徳本体内に格納しら状態で更に収容領域に例えば固形燃料を収容することができる。
【考案の効果】
【０００６】
本考案によれば、コンパクトでありながら被加熱容器のサイズに応じて被加熱容器の底面を支持する面積を変更することが可能となる。
【図面の簡単な説明】
【０００７】
【図１】実施の形態の五徳の左右両側位置の脚部のみを表示した正面図。
【図２】同じ実施の形態の五徳の平面図。
【図３】（ａ）は五徳上に置いたコッヘルが水平に配置された立ち上がり部と斜状部の頂点の２点で支持されている状態を説明する説明図、（ｂ）は五徳上に置いた小径のコッヘルが水平になった斜状部によって支持されている状態を説明する説明図。
【図４】脚部の正面図。
【考案を実施するための形態】
【０００８】
以下、本考案の実施の形態である五徳の一例について図面に基づいて説明する。
図１及び図２に示すように、五徳１は五徳本体２と６つの脚部３とから構成されている。ステンレス合金製の五徳本体２は正六角形形状の底板４と底板４の各辺から垂直に立ち上がる６枚の壁面５とから構成されている。隣接する壁面５間にはスリット６が形成されており、脚部３は壁面５間に形成されたスリット６内に配置される。壁面５の左右の側面の上下位置にはそれぞれ突起７、８が形成されている。つまり、スリット６を挟んで突起７、８が向かい合って配置される。壁面５の下部寄り位置には通気孔９が形成されている。
脚部３はステンレス合金製の薄板を打ち抜いて形成された板体である。図４に示すように、脚部３は壁面５に取り付けられる脚部本体１０と脚部本体１０の端部から一方に張り出すように延出された被加熱容器を載置するための載置部１１とによって構成されている。脚部３は全体として脚部本体１０に対して載置部１１が屈曲されているような略Ｌ字状の外観とされている。
脚部本体１０には軸受け孔１４が形成されている。脚部３はスリット６内に配置された状態で隣接する壁面５の上側の突起７が軸受け孔１４に収容されることで突起７を軸として回転可能に五徳本体２に支持されることとなる。
載置部１１は先端に立ち上がり部１２が上方に向かって立ち上がるように形成されている。立ち上がり部１２の根元から後方に向かって徐々に高くなる斜状部１３が形成されている。図４に示すように、斜状部１３は脚部本体１０の長手方向と直交する方向、つまり、載置部１１の延出方向Ｌに対して約３０度の角度とされている。載置部１１の脚部本体１０寄り位置には軽量化を図るための肉抜き孔１５が形成されている。
【０００９】
脚部３は図１の仮想線で示す格納状態においては載置部１１が上下反転させられて五徳本体２内に収容され、脚部本体１０がわずかに壁面５の上方から露出する。この状態から突起７を回転軸として軸受け孔１４側となる脚部３を上方に回転させる。すると、脚部３は下側の突起８に当接して図１の実線で示す位置で位置決めされる。このときの立ち上がり部１２の上端位置と斜状部１３のもっとも高くなる位置（図４のＰで示す位置）は水平に配置される。このときの位置が使用状態となる。脚部３は使用状態においては、五徳本体２から載置部１１が外方に張り出すように配置される。
【００１０】
次に、このように構成される五徳１の使用方法について説明する。
図２に示すように、すべての脚部３を使用状態となるように拡げる。五徳本体２内には図示しない固形燃料を配置する。
図３（ａ）に示すように、例えば被加熱容器としての底が平らなコッヘルＫ１を載置する。コッヘルＫ１は６つの脚部３の載置部１１の立ち上がり部１２先端と斜状部１３のもっとも高い位置Ｐによって支持される。
一方、コッヘルＫ１よりも径が小さく載置部１１の立ち上がり部１２に届かないようなコッヘルＫ２を使用する場合には、コッヘルＫ２を脚部３上に載せた場合にはコッヘルＫ２の底部は載置部１１の斜状部１３上に当接させるようにする。すると、斜状部１３が押動され脚部３は突起７を軸として回転しコッヘルＫ２の底面に沿うように水平に配置されることとなる。これによってコッヘルＫ２は６つの脚部３の載置部１１の斜状部１３（配置状態でいえば水平な部分となる）によって支持される。
【００１１】
このように構成することで、本実施の形態の五徳１では次のような効果が奏されることとなる。
（１）径の大きなコッヘルＫ１は立ち上がり部１２先端と斜状部１３のもっとも高い位置Ｐによって支持されるため、比較的大きな径の被加熱容器でも対応することができる。そして、立ち上がり部１２先端よりも径が小さくなるコッヘルＫ２のような被加熱容器でも脚部３が回転することで載置部１１の斜状部１３によって支持できるため、様々な径の被加熱容器に対応することができる。
（２）サイズが異なるコッヘルＫ１、Ｋ２を載置する際に、自動的にサイズに応じて載置部１１が変位するため特に脚部３の調整をする必要がない。
（３）脚部３を五徳本体２内に格納できるため、コンパクトである。格納状態で脚部３は載置部１１が五徳本体２内の底側に配置されるため、五徳本体２に収納領域が確保されることとなり、例えば固形燃料を入れる領域に活用することができる。
【００１２】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・上記五徳１はステンレス合金製としたが、その他の金属素材、例えばアルミ合金製、チタン合金製とすることも可能である。
・上記では６枚の脚部３を有するような構造であったが、理論上脚部３は３枚いじょうであれば五徳として使用可能であるため、上記以外の枚数の脚部３を有するように実施してもよい。
・五徳本体２の形状や脚部３の形状について上記実施の形態はあくまでも一例であり、他の形状で実施することも可能である。
・載置部１１の形状（立ち上がり部１２斜状部１３）の形状も上記は一例である。
本考案は上述した実施の形態に記載の構成に限定されない。上述した各実施の形態や変形例の構成要素は任意に選択して組み合わせて構成するとよい。また各実施の形態や変形例の任意の構成要素と、考案を解決するための手段に記載の任意の構成要素または考案を解決するための手段に記載の任意の構成要素を具体化した構成要素とは任意に組み合わせて構成するとよい。これらについても本願の補正または特許出願への変更等において権利取得する意思を有する。
【符号の説明】
【００１３】
１…五徳、２…五徳本体、３…脚部、５…壁面、１１…載置部、１２…立ち上がり部、１３…斜状部、Ｋ１、Ｋ２…被加熱容器としてのコッヘル。
【図１】
0003232698.tif 000003
【図２】
0003232698.tif 000004
【図３】
0003232698.tif 000005
【図４】
0003232698.tif 000006